(57)【要約】【課題】電位が印加されることにより情報を表示する情報表示層が積層された場合に、情報表示層に電位を印加するための電極によって情報表示層が破壊してしまうことを回避する。【解決手段】ベース基板２０の情報表示層が積層される面上に形成され、情報表示層に電位を印加するための表示電極１０ａ〜１０ｑを有し、表示電極１０ａ〜１０ｑは、その周縁部１３にベース基板２０への形成に伴って他の領域よりも高さが高くなる最高位領域１４を有し、最高位領域１４が周縁部１３のうち表示電極１０ａ〜１０ｑの端辺よりも中央側にある。【選択図】図１
2011053293.tif 000002
【特許請求の範囲】
【請求項１】
電位が印加されることにより情報を表示する情報表示層を有する表示装置に用いられる表示装置用電極基板であって、
ベース基板と、
前記ベース基板の前記情報表示層が積層される面上に形成され、前記情報表示層に電位を印加するための表示電極とを有し、
前記表示電極は、その周縁部に前記ベース基板への形成に伴って他の領域よりも高さが高くなる最高位領域を有し、該最高位領域が前記周縁部のうち当該表示電極の端辺よりも中央側にある表示装置用電極基板。
【請求項２】
請求項１に記載の表示装置用電極基板の製造方法であって、
インキ通過領域とインキ非通過領域とを有する版を前記ベース基板上に配置し、前記インキ通過領域にインキを通過させることにより前記ベース基板上に前記表示電極を形成し、
前記版は、前記表示電極の周縁部を形成するための領域に前記インキ非通過領域を有する、表示装置用電極基板の製造方法。
【発明の詳細な説明】
【技術分野】
【０００１】
本発明は、電位が印加されることにより情報を表示する情報表示層を有する表示装置に用いられる表示装置用電極基板及びその製造方法に関し、特に、情報表示層に電位を印加するための電極によって情報表示層が破壊されることを回避する技術に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電位が印加された場合に帯電性粒子が液体内を移動することにより、情報を表示する電気泳動ディスプレイがある（例えば、特許文献１参照。）。このような薄型の情報表示装置は、紙のように薄いために携帯がしやすいとともに、消費電力が少なく、また視野角が広く、さらには、電極に印加する電位によって表示される情報を書き換えることができるとともに、電源を切断した場合でも表示内容を保持できることから、今後のさらなる普及が予想される。
【０００４】
図１２は、一般的な電気泳動ディスプレイの積層構造を示す図であり、（ａ）は全体の積層構造を示す図、（ｂ）は（ａ）に示したＡ部拡大図である。
【０００５】
一般的な電気泳動ディスプレイは図１２に示すように、表示する情報に応じた複数の表示電極５１０がベース基板５２０上に形成されてなる表示装置用電極基板５０１に、表示装置用電極基板５０１の表示電極５１０に印加された電位に応じて情報を表示するディスプレイ部５０２が積層されて構成されている。表示電極５１０は、ベース基板５２０に形成された配線（不図示）を介して、表示する情報に応じた電位が印加される。ディスプレイ部５０２は、ガラス等からなる透明基板５３１の一方の面に透明電極（例えば、ＩＴＯ：Indium Tin Oxide）５３２が形成されてなる透明導電膜基板５３０の透明電極５３２側に、表示装置用電極基板５０１の表示電極５１０に印加された電位に応じて情報を表示する情報表示層５４０が積層されて構成されている。情報表示層５４０は、隔壁５４１とシール層５４４とで囲まれた領域に、帯電性粒子５４３が分散した隔壁内液体５４２が収容されて構成されている。そして、これら表示装置用電極基板５０１、情報表示層５４０及び透明導電膜基板５３０は、透明電極５３２と表示電極５１０とが、隔壁５４１とシール層５４４とで囲まれた領域に収容された隔壁内液体５４２を介して対向するように積層されている。なお、隔壁５４１は、底部と、情報表示層５４０の外周部となる側部と、側部で囲まれた領域を複数の領域に区画するための壁部とからなり、底部とは反対側の面が開口した形状となっている。そして、底部側が表示装置用電極基板５１０に対向するように積層されており、開口した側にシール層５４４が積層されている。
【０００６】
上記のように構成された電気泳動ディスプレイにおいては、表示電極５１０に選択的に電位が印加されると、隔壁内液体５４２内にて帯電性粒子５４３がクーロン力で移動し、表示電極５１０と透明電極５３２のいずれか一方の側に引き寄せられる。そして、隔壁内液体５４２が染料または顔料で着色されており、帯電性粒子５４３が高屈折率の光散乱成分を含むため、表示電極５１０側に帯電性粒子５４３が引き寄せられた領域が着色された状態となり、また、透明電極５３２側に帯電性粒子５４３が引き寄せられた領域が白色となり、この着色された領域と白色の領域とによって所望の情報が表現され、透明導電膜基板５３０を表示装置用電極基板５０１とは反対側から見た場合、その表現された情報が見えるようになる。
【先行技術文献】
【特許文献】
【０００７】
【特許文献１】特開２００７―１１４３０２号公報
【発明の概要】
【発明が解決しようとする課題】
【０００８】
上述したような電気泳動ディスプレイにおいては、表示電極を導電性インキを用いたスクリーン印刷によって形成することが考えられる。
【０００９】
図１３は、図１２に示した電気泳動ディスプレイにおいて表示電極５１０をスクリーン印刷によって形成した場合に生じる作用を説明するための図であり、（ａ）はスクリーン印刷によって形成された表示電極５１０の断面図、（ｂ）は（ａ）に示した表示電極５１０が形成されたベース基板５２０上に情報表示層５４０を積層した場合に生じる作用を示す図である。
【００１０】
図１２に示した電気泳動ディスプレイにおいて表示電極５１０を導電性インキを用いたスクリーン印刷によって形成した場合、表示電極５１０を形成するための版のメッシュ部内において導電性インキが乳剤部の側面に吸着するように作用し、その結果、図１３（ａ）に示すように、表示電極５１０の端辺部分が盛り上がり、表示電極５１０の端辺部分においては、表示装置用電極基板５０１の表示電極５１０が形成されていない領域との高さの差が大きくなる。また、このような作用は、表示電極５１０を形成する際に版のメッシュ部が撓むが、その撓み量がメッシュ部の中央部分ほど大きくなることによっても生じる。  そのため、このように表示電極５１０が形成されたベース基板５２０上に情報表示層５４０を積層した場合、この高さの差によって、情報表示層５４０のうち表示電極５１０の端辺部分に接する部分に大きな負荷がかかり、図１３（ｂ）に示すように、情報表示層５４０の隔壁５４１が破れ、隔壁５４１内に収容された隔壁内液体５４２が漏れてしまい、その部分においては、表示電極５１０に印加された電位に応じた情報を表示することができなくなってしまうという問題点がある。
【００１１】
本発明は、上述したような従来の技術が有する問題点に鑑みてなされたものであって、電位が印加されることにより情報を表示する情報表示層を有する表示装置に用いられる表示装置用電極基板において、情報表示層が積層された場合に、情報表示層に電位を印加するための電極によって情報表示層が破壊してしまうことを回避することができる表示装置用電極基板及びその製造方法を提供することを目的とする。
【課題を解決するための手段】
【００１２】
上記目的を達成するために本発明は、
電位が印加されることにより情報を表示する情報表示層を有する表示装置に用いられる表示装置用電極基板であって、
ベース基板と、
前記ベース基板の前記情報表示層が積層される面上に形成され、前記情報表示層に電位を印加するための表示電極とを有し、
前記表示電極は、その周縁部に前記ベース基板への形成に伴って他の領域よりも高さが高くなる最高位領域を有し、該最高位領域が前記周縁部のうち当該表示電極の端辺よりも中央側にある。
【００１３】
上記のように構成された本発明においては、電位が印加されることにより情報を表示する情報表示層を有する表示装置に用いられるものであって、ベース基板上に、情報表示層に電位を印加するための表示電極が形成されているが、表示電極は、その周縁部にベース基板への形成に伴って他の領域よりも高さが高くなる最高位領域を有している。このように構成された表示装置用電極基板は、表示電極が形成された面に情報表示層が積層されることになる。すると、ベース基板に形成された表示電極が情報表示層に当接することになるが、表示電極は、最高位領域が表示電極の周縁部のうち端辺よりも中央側にあるので、表示電極がベース基板への形成に伴って他の領域よりも高さが高くなる最高位領域を有しているものにおいて、表示電極の端辺と表示電極が形成されていない領域との高低差が、最高位領域による高低差よりも小さくなり、それにより、この表示電極が形成された面に情報表示層が積層された場合、情報表示層のうち表示電極の端辺部分に当接する部分にかかる負荷が大きくならず、表示電極の端辺部分によって情報表示層が破壊してしまうことが回避される。
【００１４】
このような表示装置用電極基板の製造方法としては、インキ通過領域とインキ非通過領域とを有する版をベース基板上に配置し、インキ通過領域にインキを通過させることによりベース基板上に表示電極を形成することが考えられるが、そのためには、版の表示電極の周縁部を形成するための領域にインキ非通過領域を設けることが考えられる。
【発明の効果】
【００１５】
以上説明したように本発明においては、電位が印加されることにより情報を表示する情報表示層を有する表示装置に用いられる表示装置用電極基板であって、ベース基板と、ベース基板の情報表示層が積層される面上に形成され、情報表示層に電位を印加するための表示電極とを有し、表示電極が、その周縁部にベース基板への形成に伴って他の領域よりも高さが高くなる最高位領域を有し、最高位領域が周縁部のうち表示電極の端辺よりも中央側にある構成としたため、表示電極がベース基板への形成に伴って他の領域よりも高さが高くなる最高位領域を有しているものにおいて、表示電極の端辺と表示電極が形成されていない領域との高低差が、最高位領域による高低差よりも小さくなり、それにより、この表示電極が形成された面に情報表示層が積層された場合、情報表示層のうち表示電極の端辺部分に当接する部分にかかる負荷が大きくならず、表示電極の端辺部分によって情報表示層が破壊してしまうことを回避することができる。
【００１６】
また、インキ通過領域とインキ非通過領域とを有する版をベース基板上に配置し、インキ通過領域にインキを通過させることによりベース基板上に表示電極を形成する場合に、版の表示電極の周縁部を形成するための領域にインキ非通過領域を有する構成とすることにより、上述した表示装置用電極基板を実現することができる。
【図面の簡単な説明】
【００１７】
【図１】本発明の表示装置用電極基板の第１の実施の形態を示す図であり、（ａ）は表面から見た図、（ｂ）は（ａ）に示したＡ−Ａ’断面図、（ｃ）は（ｂ）に示したＡ部拡大図、（ｄ）は（ａ）に示した表示電極１０ｂの拡大図である。
【図２】図１に示した表示装置用電極基板を用いた表示装置の一例となる電気泳動ディスプレイの構成を示す図であり、（ａ）はその断面を示す図、（ｂ）は（ａ）に示したＡ部拡大図である。
【図３】図２に示した電気泳動ディスプレイの動作を説明するための図であり、（ａ）は情報表示層の状態を示す図、（ｂ）は表示される情報を示す図である。
【図４】図２及び図３に示した電気泳動ディスプレイの製造方法を説明するための図である。
【図５】図１に示した表示装置用電極基板の表示電極を図４に示した製造方法にて形成する場合の表示電極の周縁部近傍の状態を説明するための図であり、（ａ）は版の表示電極の周縁部近傍を形成するための領域の形状を示す図、（ｂ）は（ａ）に示した版を用いて形成された表示電極の周縁部近傍の状態を示す図である。
【図６】図１に示した表示装置用電極基板を用いた電気泳動ディスプレイにおける表示電極の周縁部近傍の状態を示す図である。
【図７】本発明の表示装置用電極基板の第２の実施の形態を示す図であり、（ａ）は表面から見た図、（ｂ）は（ａ）に示したＡ−Ａ’断面図、（ｃ）は（ｂ）に示したＡ部拡大図である。
【図８】図７に示した表示装置用電極基板を用いた電気泳動ディスプレイにおける表示電極の周縁部近傍の状態を示す図である。
【図９】本発明の表示装置用電極基板の第３の実施の形態を示す図であり、（ａ）は表面から見た図、（ｂ）は（ａ）に示したＡ−Ａ’断面図、（ｃ）は（ｂ）に示したＡ部拡大図である。
【図１０】図９に示した表示装置用電極基板の表示電極を図４に示したものと同様の製造方法にて形成する場合の表示電極の周縁部近傍の状態を説明するための図であり、（ａ）は表示電極の形成に用いる版における表示電極の周縁部近傍を形成するための領域の形状を示す図、（ｂ）は（ａ）に示した版を用いて形成された表示電極の周縁部近傍の状態を示す図である。
【図１１】図９に示した表示装置用電極基板を用いた電気泳動ディスプレイにおける表示電極の周縁部近傍の状態を示す図である。
【図１２】一般的な電気泳動ディスプレイの積層構造を示す図であり、（ａ）は全体の積層構造を示す図、（ｂ）は（ａ）に示したＡ部拡大図である。
【図１３】図１２に示した電気泳動ディスプレイにおいて表示電極をスクリーン印刷によって形成した場合に生じる作用を説明するための図であり、（ａ）はスクリーン印刷によって形成された表示電極の断面図、（ｂ）は（ａ）に示した表示電極が形成されたベース基板上に情報表示層を積層した場合に生じる作用を示す図である。
【発明を実施するための形態】
【００１８】
以下に、本発明の実施の形態について図面を参照して説明する。
【００１９】
（第１の実施の形態）
図１は、本発明の表示装置用電極基板の第１の実施の形態を示す図であり、（ａ）は表面から見た図、（ｂ）は（ａ）に示したＡ−Ａ’断面図、（ｃ）は（ｂ）に示したＡ部拡大図、（ｄ）は（ａ）に示した表示電極１０ｂの拡大図である。なお、図１（ａ）に示した表示電極１０ａ〜１０ｑは、その周縁部が図１（ｃ），（ｄ）に示す構成となっている。
【００２０】
本形態は図１（ａ），（ｂ）に示すように、ＰＥＴ等からなるベース基板２０の一方の面に複数の表示電極１０ａ〜１０ｑが形成されて構成されている。
【００２１】
表示電極１０ａ〜１０ｑは、ベース基板２０の一方の面上に、表示される情報に応じたパターンで形成されている。本形態は、この表示電極１０ａ〜１０ｑを用いて数字を表示するものであって、表示電極１０ｂ，１０ｃによって２つのセグメントからなる表示部と、表示電極１０ｄ〜１０ｊによって７つのセグメントからなる表示部と、表示電極１０ｋ〜１０ｑによって７つのセグメントからなる表示部とからなり、ベース基板２０に形成された配線（不図示）を介して、この表示電極１０ｂ〜１０ｑと、数字の背景となる表示電極１０ａとに対して選択的に電位が印加され、“０”〜“１９９”までの数字を表示することができる。
【００２２】
また、これら表示電極１０ａ〜１０ｑは図１（ｃ）に示すように、その周縁部１３に、ベース基板２０への形成に伴って他の領域よりも高い高さｈ1となる最高位領域１４を有しており、この最高位領域１４を有する電極本体部１１と高さ調整部１２とが、表示電極１０ａ〜１０ｑの端辺側が高さ調整部１２となるように分離し、さらに、高さ調整部１２は複数に分割されている。そして、この分割された複数の高さ調整部１２の高さｈ2は、最高位領域１４の高さｈ1より低くなっている。すなわち、表示電極１０ａ〜１０ｑのそれぞれは、その周縁部１３に、ベース基板２０への形成に伴って他の領域よりも高さが高くなる最高位領域１４を有し、この最高位領域１４が表示電極１０ａ〜１０ｑの端辺よりも中央側に形成されていることになる。また、図１（ｄ）に示すように、表示電極１０ａ〜１０ｑのそれぞれについて、複数に分割された高さ調整部１２及び電極本体部１１は、接続パターンによって互いに接続されており、それにより、同一の電位が印加される構成となっている。
【００２３】
以下に、上記のように構成された表示装置用電極基板１を用いた表示装置について説明する。
【００２４】
図２は、図１に示した表示装置用電極基板１を用いた表示装置の一例となる電気泳動ディスプレイの構成を示す図であり、（ａ）はその断面を示す図、（ｂ）は（ａ）に示したＡ部拡大図である。
【００２５】
本例における電気泳動ディスプレイは図２に示すように、図１に示した表示装置用電極基板１の表示電極１０ａ〜１０ｑが形成された面上に、表示装置用電極基板１の表示電極１０ａ〜１０ｑに印加された電位に応じて情報を表示するディスプレイ部２が積層されて構成されている。表示電極１０ａ〜１０ｑは、上述したようにベース基板２０に形成された配線を介して、表示する情報に応じた電位が印加される。ディスプレイ部２は、ガラス等からなる透明基板３１の一方の面に透明電極（例えば、ＩＴＯ）３２が形成されてなる透明導電膜基板３０の透明電極３２側に、表示装置用電極基板１の表示電極１０ａ〜１０ｑに印加された電位に応じて情報を表示する情報表示層４０が積層されて構成されている。すなわち、表示装置用電極基板１の表示電極１０ａ〜１０ｑは、情報表示層４０に電位を印加するためのものである。情報表示層４０は、隔壁４１とシール層４４とで囲まれた領域に、帯電性粒子４３が分散した隔壁内液体４２が収容されて構成されている。そして、これら表示装置用電極基板１、情報表示層４０及び透明導電膜基板３０は、透明電極３２と表示電極１０とが、隔壁４１とシール層４４とで囲まれた領域に収容された隔壁内液体４２を介して対向するように積層されている。なお、隔壁４１は、底部と、情報表示層４０の外周部となる側部と、側部で囲まれた領域を、例えば１３０μｍ□で複数の領域に区画するための壁部とからなり、底部とは反対側の面が開口した形状となっている。そして、底部側が表示装置用電極基板１０に対向するように積層されており、開口した側にシール層４４が積層されている。
【００２６】
図３は、図２に示した電気泳動ディスプレイの動作を説明するための図であり、（ａ）は情報表示層４０の状態を示す図、（ｂ）は表示される情報を示す図である。
【００２７】
図２に示した電気泳動ディスプレイにて情報を表示する場合、例えば、透明電極３２をＧＮＤ電位とし、また、ベース基板２０に形成された配線を介して、表示電極１０ａ，１０ｄ，１０ｊにマイナスの電位を印加し、表示電極１０ｂ，１０ｃ，１０ｅ〜１０ｉ，１０ｋ〜１０ｑにプラスの電位を印加する。
【００２８】
すると、隔壁４１及びシール層４４で囲まれた領域に収容された隔壁内液体４２が誘電性物質からなり、帯電性粒子４３がマイナス電位に帯電しているものであることから、図３（ａ）に示すように、帯電性粒子４３が隔壁内液体４２内をクーロン力で移動し、マイナス電位が印加された表示電極１０ａ，１０ｄ，１０ｊが形成された領域においては帯電性粒子４３が透明電極３２側に引き寄せられ、また、プラス電位が印加された表示電極１０ｂ，１０ｃ，１０ｅ〜１０ｉ，１０ｋ〜１０ｑが形成された領域においては帯電性粒子４３が表示電極１０ｂ，１０ｃ，１０ｅ〜１０ｉ，１０ｋ〜１０ｑ側に引き寄せられる。
【００２９】
そして、隔壁内液体４２が染料または顔料で着色されており、帯電性粒子４３が高屈折率の光散乱成分を含むため、図３（ｂ）に示すように、表示電極１０ｂ，１０ｃ，１０ｅ〜１０ｉ，１０ｋ〜１０ｑ側に帯電性粒子４２が引き寄せられた領域が着色された状態となり、また、透明電極３２側に帯電性粒子４２が引き寄せられた領域が白色となり、それにより、表示電極１０ｂ，１０ｃ，１０ｅ〜１０ｉ，１０ｋ〜１０ｑのパターンが組み合わされた情報が表現され、透明導電膜基板３０を表示装置用電極基板１とは反対側から見た場合、その情報が見えるようになる。
【００３０】
以下に、上述した電気泳動ディスプレイの製造方法について説明する。
【００３１】
図４は、図２及び図３に示した電気泳動ディスプレイの製造方法を説明するための図である。
【００３２】
図２及び図３に示した電気泳動ディスプレイを製造する場合は、まず、インキ通過領域となるメッシュ部５３を有する版５０上に、表示電極１０ａ〜１０ｑを形成するための導電性材料からなるインキ５４を盛る（図４（ａ））。この版５０は、全体がメッシュ部５３となっている状態のものに、表示電極１０ａ〜１０ｑとならない領域にインキ非通過領域となる乳剤部５２が設けられ、それにより、メッシュ部５３が図１に示した表示装置用電極基板１の表示電極１０ａ〜１０ｑの形状となるものであって、その両端部には版枠５１が設けられ、この版枠５１によって乳剤部５２及びメッシュ部５３が支持されている。
【００３３】
次に、版５０上に盛られたインキ５４をドクター５５によって版５０上に広げる。この際、版５０上に広げられたインキ５４は、メッシュ部５３内に入り込んでいく（図４（ｂ））。
【００３４】
図５は、図１に示した表示装置用電極基板１の表示電極１０ａ〜１０ｑを図４に示した製造方法にて形成する場合の表示電極１０ａ〜１０ｑの周縁部１３近傍の状態を説明するための図であり、（ａ）は版５０の表示電極１０ａ〜１０ｑの周縁部１３を形成するための領域の形状を示す図、（ｂ）は（ａ）に示した版５０を用いて形成された表示電極１０ａ〜１０ｑの周縁部１３近傍の状態を示す図である。
【００３５】
図４に示した版５０は、上述したようにメッシュ部５３が表示電極１０ａ〜１０ｑの形状となっているが、表示電極１０ａ〜１０ｑの高さ調整部１２を形成するための領域は、図５（ａ）に示すように、乳剤部５２とメッシュ部５３とが交互に配置されている。すなわち、本例における版５０は、表示電極１０ａ〜１０ｑの周縁部１３を形成するための領域に乳剤部５２を有する構成となっている。
【００３６】
このようにしてメッシュ部５３にインキ５４が入り込んだ版５０をベース基板２０上に配置し、スキージ５６によって版５０の上面をなぞることにより、メッシュ部５３に入り込んだインキ５４を、インキ５４がメッシュ部５３を通過するようにベース基板２０上に転写し、図１に示した表示装置用電極基板１を完成させる（図４（ｃ））。
【００３７】
ここで、版５０のうち表示電極１０ａ〜１０ｑの電極本体部１１を形成する領域においては、乳剤部５２の間隔が表示電極１０ａ〜１０ｑの形状に応じたものとなって離れているため、メッシュ部５３にインキ５４が入り込みやすく、また、メッシュ部５３に入り込んだインキ５４がメッシュ部５３からベース基板２０上に転写されやすい。また、この電極本体部１１においては、ベース基板２０上に転写されたインキ５４は、メッシュ部５３の内側面に当接していた部分が、乳剤部５２の側面に吸着するように作用し、例えば９０μｍ程度の範囲において盛り上がる。また、このような作用は、スキージ５６によって版５０の上面をなぞる際に図４（ｃ）に示したようにメッシュ部５３が撓むが、その撓み量がメッシュ部５３の中央部分ほど大きくなることによっても生じる。
【００３８】
一方、版５０のうち表示電極１０ａ〜１０ｑの高さ調整部１２を形成する領域においては、乳剤部５２の間隔が狭くなっているため、メッシュ部５３にインキ５４が入り込みにくく、また、メッシュ部５３に入り込んだインキ５４がメッシュ部５３からベース基板２０上に転写されにくい。そのため、表示電極１０ａ〜１０ｑの高さ調整部１２においては、メッシュ部５３から転写されたインキ５４によって形成される表示電極１０ａ〜１０ｑの高さが低くなる。
【００３９】
このようにして、ベース基板２０にインキ５４が転写されることにより形成された表示電極１０ａ〜１０ｑは、図５（ｂ）に示すように、高さ調整部１２が複数に分割され、その高さｈ2が、表示電極１０ａ〜１０ｑの周縁部１３のうち、上述したように盛り上がって電極本体部１１に生じた最高位領域１４の高さｈ1よりも低いものとなる。
【００４０】
その後、表示装置用電極基板１の表示電極１０ａ〜１０ｑが形成された面側に、透明電極３２と表示電極１０ａ〜１０ｑとが、情報表示層４０を介して対向するようにディスプレイ部２を薄い接着層を設ける等して積層、接着し、図２及び図３に示した電気泳動ディプレイを完成させる（図４（ｄ））。
【００４１】
以下に、上記のようにして製造された電気泳動ディスプレイの作用について説明する。
【００４２】
図６は、図１に示した表示装置用電極基板１を用いた電気泳動ディスプレイにおける表示電極１０ａ〜１０ｑの周縁部１３近傍の状態を示す図である。
【００４３】
図１に示した表示装置用電極基板１においては、上述したように、ベース基板２０上に表示電極１０ａ〜１０ｑを形成する際に、表示電極１０ａ〜１０ｑの周縁部１３に他の領域よりも高さが高くなる最高位領域１４が生じるが、ベース基板２０上に表示電極１０ａ〜１０ｑを形成するための版５０として、表示電極１０ａ〜１０ｑの周縁部１３近傍を形成するための領域に、インキを通過させるメッシュ部５３とインキを通過させない乳剤部５３とが交互に配置されたものを用いることにより、周縁部１３に生じた最高位領域１４が、表示電極１０ａ〜１０ｑの端辺近傍となる高さ調整部１２ではなく、表示電極１０ａ〜１０ｑの端辺よりも中央側となる電極本体部１１に存在することとなり、表示電極１０ａ〜１０ｑの端辺部分の高さが、表示電極１０ａ〜１０ｑの電極本体部１１に存在する最高位領域１４の高さよりも低くなる。
【００４４】
そのため、図６に示すように、表示電極１０ａ〜１０ｑの端辺部分と表示電極１０ａ〜１０ｑが形成されていない領域との高低差が、表示電極１０ａ〜１０ｑの最高位領域１４による高低差よりも小さくなり、それにより、この表示電極１０ａ〜１０ｑが形成された面に積層された情報表示層４０の表示電極１０ａ〜１０ｑの周縁部１３における傾斜がなだらかなものとなり、情報表示層４０のうち表示電極１０ａ〜１０ｑの端辺部分に当接する部分にかかる負荷が大きくならず、表示電極１０ａ〜１０ｑの端辺部分によって情報表示層４０の隔壁４１が破壊してしまうことが回避される。
【００４５】
（第２の実施の形態）
図７は、本発明の表示装置用電極基板の第２の実施の形態を示す図であり、（ａ）は表面から見た図、（ｂ）は（ａ）に示したＡ−Ａ’断面図、（ｃ）は（ｂ）に示したＡ部拡大図である。
【００４６】
本形態は図７に示すように、第１の実施の形態に示したものに対して、表示電極１１０ａ〜１１０ｑの高さ調整部１１２が電極本体部１１１から分離しておらず、さらに、高さ調整部１１２が複数に分割されていない点が異なるものの、ベース基板１２０への形成に伴って他の領域よりも高い高さｈ1となる最高位領域１１４が、表示電極１１０ａ〜１１０ｑの周縁部１１３のうち電極本体部１１１に存在し、高さ調整部１１２の高さｈ2が、最高位領域１１４の高さｈ1より低くなっている点については同様のものである。
【００４７】
上記のように構成された表示装置用電極基板１０１は、第１の実施の形態に示したものと同様に、表示電極１１０ａ〜１１０ｑが形成された面側にディスプレイ部２が積層、接着され、電気泳動ディプレイとして利用される。
【００４８】
本形態における表示装置用電極基板１０１においては、表示電極１１０ａ〜１１０ｑの高さ調整部１１２が電極本体部１１１から分離しておらず、さらに、高さ調整部１１２が複数に分割されていない。これは、図４に示した版５０において、表示電極１１０ａ〜１１０ｑの周縁部１１３近傍を形成するための領域におけるメッシュ部５３間の乳剤部５２の幅を狭くすることにより、メッシュ部５３に入り込んだインキ５４をベース基板２０上に転写した際に、メッシュ部５３から流れ出したインキ５４が一体となって表示電極１１０ａ〜１１０ｑが形成されることによるものである。
【００４９】
図８は、図７に示した表示装置用電極基板１０１を用いた電気泳動ディスプレイにおける表示電極１１０ａ〜１１０ｑの周縁部１１３近傍の状態を示す図である。
【００５０】
図７に示した表示装置用電極基板１０１においては、上述したように、ベース基板１２０上に表示電極１１０ａ〜１１０ｑを形成する際に、表示電極１１０ａ〜１１０ｑの周縁部１１３に生じる最高位領域１１４が、表示電極１１０ａ〜１１０ｑの端辺近傍となる高さ調整部１１２ではなく、表示電極１１０ａ〜１１０ｑの端辺よりも中央側となる電極本体部１１１に存在することとなり、表示電極１１０ａ〜１１０ｑの端辺部分の高さが、表示電極１１０ａ〜１１０ｑの電極本体部１１１に存在する最高位領域１１４の高さよりも低くなる。
【００５１】
そのため、図８に示すように、表示電極１１０ａ〜１１０ｑの端辺部分と表示電極１１０ａ〜１１０ｑが形成されていない領域との高低差が、表示電極１１０ａ〜１１０ｑの最高位領域１１４による高低差よりも小さくなり、それにより、この表示電極１１０ａ〜１１０ｑが形成された面に積層された情報表示層４０の表示電極１１０ａ〜１１０ｑの周縁部１１３における傾斜がなだらかなものとなり、情報表示層４０のうち表示電極１１０ａ〜１１０ｑの端辺部分に当接する部分にかかる負荷が大きくならず、表示電極１１０ａ〜１１０ｑの端辺部分によって情報表示層４０の隔壁４１が破壊してしまうことが回避される。
【００５２】
（第３の実施の形態）
図９は、本発明の表示装置用電極基板の第３の実施の形態を示す図であり、（ａ）は表面から見た図、（ｂ）は（ａ）に示したＡ−Ａ’断面図、（ｃ）は（ｂ）に示したＡ部拡大図である。
【００５３】
本形態は図９に示すように、第１の実施の形態に示したものに対して、表示電極２１０ａ〜２１０ｑの複数に分割された高さ調整部２１２の幅と高さが互いに異なるものの、ベース基板２２０への形成に伴って他の領域よりも高い高さｈ1となる最高位領域２１４が表示電極２１０ａ〜２１０ｑの周縁部２１３のうち電極本体部２１１に存在し、複数に分割された高さ調整部２１２のうち最も表示電極２１０ａ〜２１０ｑの端辺側に配置された高さ調整部２１２の高さｈ2が、最高位領域２１４の高さｈ1より低くなっている点については同様のものである。なお、分割された複数の高さ調整部２１２の幅は、電極本体部２１１側から例えば、７０μｍ、５０μｍ、３０μｍとなっている。また、本形態における表示電極２１０ａ〜２１０ｑのそれぞれについても、第１の実施の形態に示したものと同様に、複数に分割された高さ調整部２１２及び電極本体部２１１は、接続パターンによって互いに接続されており、それにより、同一の電位が印加される構成となっている。  上記のように構成された表示装置用電極基板２０１は、第１の実施の形態に示したものと同様に、表示電極２１０ａ〜２１０ｑが形成された面側にディスプレイ部２が積層、接着され、電気泳動ディプレイとして利用される。
【００５４】
図１０は、図９に示した表示装置用電極基板２０１の表示電極２１０ａ〜２１０ｑを図４に示したものと同様の製造方法にて形成する場合の表示電極２１０ａ〜２１０ｑの周縁部２１３近傍の状態を説明するための図であり、（ａ）は表示電極２１０ａ〜２１０ｑの形成に用いる版２５０における表示電極２１０ａ〜２１０ｑの周縁部２１３近傍を形成するための領域の形状を示す図、（ｂ）は（ａ）に示した版２５０を用いて形成された表示電極２１０ａ〜２１０ｑの周縁部２１３近傍の状態を示す図である。
【００５５】
本形態における表示装置用電極基板２０１の表示電極２１０ａ〜２１０ｑを形成するための版２５０においては、第１の実施の形態に示したものと同様に、メッシュ部２５３が表示電極２１０ａ〜２１０ｑの形状となっており、また、表示電極２１０ａ〜２１０ｑの高さ調整部２１２を形成するための領域は、乳剤部２５２とメッシュ部２５３とが交互に配置されているが、図１０（ａ）に示すように、表示電極２１０ａ〜２１０ｑの高さ調整部２１２を形成するための領域に配置されたメッシュ部２５３の幅が異なっており、表示電極２１０ａ〜２１０ｑの電極本体部２１１から離れるほどその幅が狭くなっている。
【００５６】
このように構成された版２５０を用いて表示電極２１０ａ〜２１０ｑを形成すると、版２５０のうち表示電極２１０ａ〜２１０ｑの電極本体部２１１を形成する領域においては、第１の実施の形態に示したものと同様に、乳剤部２５２の間隔が表示電極２１０ａ〜２１０ｑの形状に応じたものとなって離れているため、メッシュ部２５３に表示電極２１０ａ〜２１０ｑを形成するためのインキが入り込みやすく、また、メッシュ部２５３に入り込んだインキがメッシュ部２５３からベース基板２２０上に転写されやすい。また、この電極本体部２１１においては、ベース基板２２０上に転写されたインキは、メッシュ部２５３の内側面に当接していた部分が、乳剤部２５２の側面に吸着するように作用することや、メッシュ部２５３の中央部分と端部との撓み量の違いによって盛り上がる。
【００５７】
一方、版２５０のうち表示電極２１０ａ〜２１０ｑの高さ調整部２１２を形成する領域においては、乳剤部２５２の間隔が狭くなっているため、メッシュ部２５３にインキが入り込みにくく、また、メッシュ部２５３に入り込んだインキがメッシュ部からベース基板２２０上に転写されにくい。そのため、表示電極２１０ａ〜２１０ｑの高さ調整部２１２においては、メッシュ部２５３から転写されたインキによって形成される表示電極２１０ａ〜２１０ｑの高さが低くなる。さらに、表示電極２１０ａ〜２１０ｑの高さ調整部２１２を形成するための領域に配置されたメッシュ部２５３の幅が、表示電極２１０ａ〜２１０ｑの電極本体部２１１から離れるほどその幅が狭くなっていることにより、複数に分割された高さ調整部２１２の幅も電極本体部２１１から離れるほどその幅が狭くなり、また、上述したものと同様のインクの転写作用によって、表示電極２１０ａ〜２１０ｑの電極本体部２１１から離れるほどその高さが低くなっている。
【００５８】
このようにして、ベース基板２２０にインキが転写されることにより形成された表示電極２１０ａ〜２１０ｑは、図１０（ｂ）に示すように、高さ調整部２１２が複数に分割され、高さ調整部２１２の高さが電極本体部２１１から離れるほど低くなり、最も外側となる高さ調整部２１２の高さｈ2が、表示電極２１０ａ〜２１０ｑのうち、上述したように盛り上がって電極本体部２１１に生じた最高位領域２１４の高さｈ1よりも低いものとなる。
【００５９】
図１１は、図９に示した表示装置用電極基板２０１を用いた電気泳動ディスプレイにおける表示電極２１０ａ〜２１０ｑの周縁部２１３近傍の状態を示す図である。
【００６０】
図９に示した表示装置用電極基板２０１においては、上述したように、ベース基板２２０上に表示電極２１０ａ〜２１０ｑを形成する際に、表示電極２１０ａ〜２１０ｑの周縁部２１３に生じる最高位領域２１４が、表示電極２１０ａ〜２１０ｑの端辺近傍となる高さ調整部２１２ではなく、表示電極２１０ａ〜２１０ｑの端辺よりも中央側となる電極本体部２１１に存在することとなり、表示電極２１０ａ〜２１０ｑの端辺部分の高さが、表示電極２１０ａ〜２１０ｑの電極本体部２１１に存在する最高位領域２１４の高さよりも低くなる。
【００６１】
そのため、図１１に示すように、表示電極２１０ａ〜２１０ｑの端辺分と表示電極２１０ａ〜２１０ｑが形成されていない領域との高低差が、表示電極２１０ａ〜２１０ｑの最高位領域２１４による高低差よりも小さくなり、それにより、この表示電極２１０ａ〜２１０ｑが形成された面に積層された情報表示層４０の表示電極２１０ａ〜２１０ｑの周縁部における傾斜がなだらかなものとなり、情報表示層４０のうち表示電極２１０ａ〜２１０ｑの端辺部分に当接する部分にかかる負荷が大きくならず、表示電極２１０ａ〜２１０ｑの端辺部分によって情報表示層４０の隔壁４１が破壊してしまうことが回避される。さらに本形態においては、表示電極２１０ａ〜２１０ｑの高さ調整部２１２の高さが電極本体部２１１から離れるほど低くなっていることにより、情報表示層４０のうち表示電極２１０ａ〜２１０ｑの端辺部分に当接する部分にかかる負荷をさらに小さくすることができる。
【００６２】
なお、上述した３つの実施の形態においては、ディスプレイ部２として、隔壁内液体４２に分散した帯電性粒子４３が、表示電極１０ａ〜１０ｑ，１１０ａ〜１１０ｑ，２１０ａ〜２１０ｑに対する電圧印加によって表示電極１０ａ〜１０ｑ，１１０ａ〜１１０ｑ，２１０ａ〜２１０ｑ側または透明電極３２側に移動して表示が切り替わる垂直型電気泳動方式の薄型表示部材を例に挙げて説明したが、ディスプレイ部２としては、表示電極によって電位が印加されることにより情報を表示する情報表示層を有するものであって、ベース基板上に表示電極が形成された際に表示電極の周縁部が盛り上がることにより生じた最高位領域によって情報表示層が破損する可能性があるものであれば適用することができる。
【符号の説明】
【００６３】
１，１０１，２０１    表示装置用電極基板
２    ディスプレイ部
１０ａ〜１０ｑ，１１０ａ〜１１０ｑ，２１０ａ〜２１０ｑ    表示電極
１１，１１１，２１１    電極本体部
１２，１１２，２１２    高さ調整部
１３，１１３，２１３    周縁部
１４，１１４，２１４    最高位領域
２０，１２０，２２０    ベース基板
３０    透明導電膜基板
３１    透明基板
３２    透明電極
４０    情報表示層
４１    隔壁
４２    隔壁内液体
４３    帯電性粒子
４４    シール層
５０，２５０    版
５１    版枠
５２，２５２    乳剤部
５３，２５３    メッシュ部
５４    インキ
５５    ドクター
５６    スキージ
【図１】
2011053293.tif 000003
【図２】
2011053293.tif 000004
【図３】
2011053293.tif 000005
【図４】
2011053293.tif 000006
【図５】
2011053293.tif 000007
【図６】
2011053293.tif 000008
【図７】
2011053293.tif 000009
【図８】
2011053293.tif 000010
【図９】
2011053293.tif 000011
【図１０】
2011053293.tif 000012
【図１１】
2011053293.tif 000013
【図１２】
2011053293.tif 000014
【図１３】
2011053293.tif 000015